(57)【要約】【課題】発光制限がかかるまでの発光回数を最大化するための使い方をユーザに知らせることを可能にした複数発光部を備えたストロボを提供すること。【解決手段】発光量をそれぞれ設定することが可能な複数の発光部（２０５Ａ、２０５Ｂ）と、連続して発光する場合に発光量に応じた積算値を加算し、加算した積算値の合計である積算値合計と発光量に応じて発光制限を行わせる制御部（１０８）と、表示部（１２３）と、を備えたストロボ装置（２０３）であって、複数の発光部を異なる発光量に設定した場合、所定の発光制限がかかるまでの発光回数を最大化するために発光量の設定を入れ替えるタイミングを算出する発光量入替タイミング算出部（１０８）を備え、発光量入替タイミングの算出結果をユーザに知らせることを特徴とする。【選択図】図１
2020034814.tif 000002
【特許請求の範囲】
【請求項１】
発光量をそれぞれ設定することが可能な複数の発光部と、連続して発光する場合に発光量に応じた積算値を加算し、加算した積算値の合計である積算値合計と発光量に応じて発光制限を行わせる制御部と、表示部と、を備えたストロボ装置であって、
複数の発光部を異なる発光量に設定した場合、所定の発光制限がかかるまでの発光回数を最大化するために発光量の設定を入れ替えるタイミングを算出する発光量入替タイミング算出部を備え、発光量入替タイミングの算出結果をユーザに知らせる事を特徴とする複数発光部を備えたストロボ装置。
【請求項２】
所定の発光制限とは温度上昇警告を伴う発光制限であることを特徴とする請求項１に記載のストロボ装置。
【請求項３】
ユーザに知らせる算出結果は発光量入替時の発光回数、発光量の設定を入れ替えなかった場合に比べた発光回数の増加量であることを特徴とする請求項１に記載のストロボ装置。
【請求項４】
発光量入替タイミングに発光回数が到達した場合、発光量の入れ替えをするかユーザに訪ねる表示を表示部に表示し、ユーザの回答により発光朗の設定を入れ替える事を特徴とする請求項１に記載のストロボ装置。
【請求項５】
発光量の差、または算出結果の発光回数の増加量が所定値未満の場合は入れ替え指示を出さない事を特徴とする請求項１に記載のストロボ装置。
【請求項６】
発光量入替タイミングの算出方法は所定の発光制限を実施する積算値合計を複数の発光部の発光量設定の和で除する方法であることを特徴とする請求項１に記載のストロボ装置。
【請求項７】
発光量をそれぞれ設定することが可能な複数の発光部と、連続して発光する場合に発光量に応じた積算値を加算し、加算した積算値の合計である積算値合計と発光量に応じて発光制限を行わせる制御部と、表示部と、を備えたストロボ装置の制御方法であって、
複数の発光部を異なる発光量に設定した場合、発光制限がかかるまでの発光回数を最大化するために発光量の設定を入れ替えるタイミングを算出する発光量入替タイミング算出部を備え、発光量入替タイミングの算出結果をユーザに知らせる事を特徴とする複数発光部を備えたストロボ装置の制御方法。
【発明の詳細な説明】
【技術分野】
【０００１】
本発明は、ストロボに関し、特に複数発光部を備えたストロボにおける連続発光時の発光制限に関する。
【背景技術】
【０００２】
ストロボの連続発光時、発熱による発光部の溶解や内部部品の損壊、外郭温度上昇などの問題が発生していた。この問題に対し、特許文献１には、所定の時間間隔より短い間隔で発光が行われた場合、発光量に応じた所定値を積算し、その積算値が閾値以上となった場合、一定時間レリーズ動作を禁止するなどの発光制限を実施する方法が開示されている。
【０００３】
特許文献２には、ストロボのズーム位置、発光後のメインコンデンサの残電圧を考慮して発光量に応じた所定値を算出し、発光制限の制限時間について段階的に延長する方法が開示されている。
【先行技術文献】
【特許文献】
【０００４】
【特許文献１】特開２００１−６６６７５号公報
【特許文献２】特開２００８−１８５６９９号公報
【発明の概要】
【発明が解決しようとする課題】
【０００５】
しかしながら、上述の特許文献に開示された従来技術を複数の発光部を備えたストロボに適用した場合、次のような課題が発生する。複数の発光部の発光量が異なる場合、発光量が大きい発光部の温度上昇が大きいため、発光量の大きい発光部に合わせた発光制限がかかる。しかし、発光量が小さい方の発光部については制限をかける必要がない状態である。発光制限には温度上昇警告の表示を伴うものがあり、表示された場合にしばらく休止することを取扱説明書などで推奨している場合があるため、温度上昇警告表示後はしばらくユーザが発光制限を気にすることなく使用することが出来ない。複数の発光部が同時に温度上昇警告表示になるような使用方法がわかればユーザは発光制限を気にすることなく使用することが出来る。
【０００６】
そこで、本発明の目的は、発光制限がかかるまでの発光回数を最大化するための使い方をユーザに知らせることを可能にした複数発光部を備えたストロボを提供することにある。
【課題を解決するための手段】
【０００７】
上記の目的を達成するために、本発明に係るストロボ装置は、
発光量をそれぞれ設定することが可能な複数の発光部と、連続して発光する場合に発光量に応じた積算値を加算し、加算した積算値の合計である積算値合計と発光量に応じて発光制限を行わせる制御部と、表示部と、を備えたストロボ装置であって、
複数の発光部を異なる発光量に設定した場合、所定の発光制限がかかるまでの発光回数を最大化するために発光量の設定を入れ替えるタイミングを算出する発光量入替タイミング算出部を備え、算出結果をユーザに知らせることを特徴とする。
【発明の効果】
【０００８】
本発明によれば、発光制限がかかるまでの発光回数を最大化するための使い方をユーザに知らせることを可能にした複数発光部を備えたストロボ装置を提供することができる。
【図面の簡単な説明】
【０００９】
【図１】実施例１のフローチャート
【図２】マクロツインストロボ図
【図３】電気回路ブロック図
【図４】発光量と積算値テーブル
【図５Ａ】積算値合計と制限時間テーブル
【図５Ｂ】積算値合計と制限時間テーブル
【図６】発光回数と制限時間グラフ
【図７】温度警告表示の例
【図８】演算結果表示の例
【図９Ａ】発光量入替タイミング表示の例
【図９Ｂ】発光量入替タイミング表示の例
【図１０Ａ】発光回数の増加量の図
【図１０Ｂ】発光回数の増加量の図
【図１１】実施例２のフローチャート
【発明を実施するための形態】
【００１０】
図２に、本実施形態におけるマクロツインストロボを装着したカメラの正面図を示す。
【００１１】
２００はカメラ本体であり、この内部には光学部品、機構部品、電気回路及び撮像素子などで構成され写真撮影が行えるようになっている。２０１はカメラ本体２００に設けられたアクセサリーシューで、後述するストロボ制御部２０３が取り付けられる。このアクセサリーシュー２０１には、カメラ本体２００とストロボ制御２０３との間で通信を可能とするインターフェースとなる接点群が設けられている。
【００１２】
２０２はカメラ本体２００に着脱可能なレンズ鏡筒である。このレンズ鏡筒２０２内には、複数のレンズ群で構成された撮影レンズが収納されている。２０３はストロボ制御部で、この内部にはストロボ発光を制御するための制御回路やストロボ発光の際の電源となるストロボ電源回路等が収納されている。
【００１３】
２０５Ａ、２０５Ｂはストロボ光を照射する発光部であり、この内部には閃光放電管、反射笠、フレネルレンズ、発光回路等が収納されている。２０６Ａ、２０６Ｂは、発光部２０５Ａ、２０５Ｂの正面に配置されたストロボ照射窓であり、このストロボ照射窓２０６Ａ、２０６Ｂからストロボ光が照射される。ストロボ制御部２０３および発光部２０５Ａ、発光部２０５Ｂが本発明のストロボ発光装置に相当する。
【００１４】
２０４はリングアダプタで、レンズ鏡筒２０２の先端に着脱可能であり、発光部２０５Ａ、２０５Ｂを保持する。
【００１５】
２０７Ａ、２０７Ｂはそれぞれ発光部２０５Ａ、２０５Ｂを前後左右に回転させるための回転部材であり、発光部２０５Ａ、２０５Ｂに備えられていてリングアダプタ２０４に備えられた回転部材２０８Ａ、２０８Ｂに装着することが可能である。
【００１６】
２０８Ａ、２０８Ｂはそれぞれ発光部２０５Ａ、２０５Ｂをリングアダプタ２０４に沿ってレンズ鏡筒２０２の外周を回転させるための回転部材でありリングアダプタ２０４に備えられている。
【００１７】
２１３Ａ、２１３Ｂは、ストロボ制御部２０３と発光部２０５Ａ、２０５Ｂとの間に配置されたコードで、ストロボ制御部２０３内に収納されたストロボ電源回路と発光部２０５Ａ、２０５Ｂ内に収納された発光回路とを電気的に接続する。
【００１８】
次に、本発明の実施形態におけるカメラシステムの回路構成について説明する。図３は、本発明の実施形態にかかわるストロボを含んだカメラシステムにおける電気回路ブロック図である。
【００１９】
まず、カメラ本体２００側に配置された回路構成について説明する。
【００２０】
１はカメラ本体２００の電源となる電池である。２は電源回路であり、この電源回路２からの出力電圧は後述する各回路に供給される。電源回路２として、例えば、電池１の電圧が変化しても一定の電圧を出力する定電圧回路を用いることができる。３はＤＣ／ＤＣコンバータで、電池１の電圧を昇圧して一定の出力電圧としてカメラマイコン８に供給する。
【００２１】
４はスイッチ部であり、スイッチ検出回路５及びスイッチ群６で構成されている。スイッチ検出回路５は、スイッチ群６を構成する複数のスイッチのうち各スイッチにおけるオン／オフ状態を検出して、この検出信号をカメラマイコン８に出力する。ここで、スイッチ群６には、例えばレリーズボタンの半押しでオンするスイッチ（ＳＷ１）、レリーズボタンの全押しでオンするスイッチ（ＳＷ２）、露出を設定するためのスイッチ（絞り、シャッター速度設定ＳＷ）等が含まれる。
【００２２】
７はカメラマイコン８に接続されたＥＥＰＲＯＭ（電気的にデータを消去・書き換えすることができるＲＯＭ）である。このＥＥＰＲＯＭ７にはカメラ動作に必要な設定情報が書き込まれる。
【００２３】
８はカメラマイコンで、ＣＰＵ、ＲＯＭ、ＲＡＭ、入出力制御回路（Ｉ／ＯＣＯＮＴＲＯＬ）、マルチプレクサ、タイマ回路等を含むマイコン内蔵ワンチップＩＣ回路構成となっており、カメラシステムの制御をソフトウエアで行えるものである。ここで、カメラマイコン８にＥＥＰＲＯＭ７を内蔵させてもよい。
【００２４】
９は被写体距離の測定を行う測距回路である。ここで、被写体距離の測定方法として、カメラ本体２００側から光を投光して被写体からの反射光を受光することにより測距情報を得るアクティブ方式を用いる事ができる。また、画面に対応して設けられたラインセンサ及びこのラインセンサの駆動制御を行う駆動回路で構成してもよい。この駆動回路により各センサにおける電気量の蓄積制御を行うとともに各センサにおける像信号を読みとることにより、被写体像がどの位置で焦点を結んでいるかを既存の位相差検出方法で演算して検出するパッシブ方式を用いることができる。
【００２５】
本実施形態では、撮影レンズを通過した被写体光束がメインミラー（不図示）の一部を透過してサブミラー（不図示）により距離測定装置に導かれ、この距離測定装置において被写体距離の測定が行われる。そして、距離測定装置からはこの測定結果としての被写体距離信号がカメラマイコン８に出力される。
【００２６】
１０は焦点距離検出回路であり、撮影レンズの焦点距離情報をカメラマイコン８に送る。ここで、撮影レンズが単体レンズである場合には、固定の焦点距離を示すデータがカメラマイコン８に送られる。撮影レンズがズームレンズである場合には、ズームエンコーダー（不図示）により検出される撮影レンズのズーム停止位置に応じた焦点距離を示すデータがカメラマイコン８に送られる。
【００２７】
１１は表示部で、液晶ディスプレイ（ＬＣＤ）１２及び液晶表示回路１３により構成されている。ＬＣＤ１２はカメラ撮影に関する情報を表示する。このＬＣＤ１２は、ファインダー内やカメラ本体２００外装に取り付けられている。なお、カメラ撮影に関する情報を表示する表示素子として、ＬＣＤだけでなくＴＦＴ等を用いてもよい。液晶表示回路１３は、カメラマイコン８からの命令に従ってＬＣＤ１２にカメラ撮影に関する情報を表示させる。
【００２８】
１４は、被写体輝度を測定するための測光回路である。この測光回路１４は、カメラマイコン８からの命令を受けて適正な露出を決定するために必要なデータ（被写体輝度）をカメラマイコン８に送る。また、測光回路１４は、予備発光の時の光量測定も行う。
【００２９】
１５は調光回路であり、ストロボ発光により被写体で反射した光を検出し、適正露出になったら発光を停止する信号を出力する。この出力信号は、カメラマイコン８から接点群１７を介して後述のストロボマイコン１０８に入力される。
【００３０】
１６はＸ接点で、カメラ本体２００内に設けられたシャッタ（不図示）の動作に同期してオンとなり、ストロボ発光のタイミングをストロボマイコン１０８に伝える。このＸ接点１６は、一端が接点群１７を介してストロボマイコン１０８のＳ４に接続されており、他端がＧＮＤレベルになっている。
【００３１】
１７は接点群で、カメラマイコン８とストロボマイコン１０８とのインターフェースとなる。この接点群１７を介して、カメラマイコン８及びストロボマイコン１０８が相互に通信を行うことができる。接点群１７は、上述したようにアクセサリーシュー２０１に設けられている。
【００３２】
次にカメラマイコン８におけるインターフェース端子の説明を行う。ＳＣＫはストロボマイコン１０８とシリアル通信を行うための同期クロックの出力端子である。ＳＤＯはストロボマイコン１０８とシリアル通信を行うためのシリアルデータ出力端子である。ＳＤＩはストロボマイコン１０８とシリアル通信を行うためのシリアルデータ入力端子である。ＳＣＨＧはストロボ制御部２０３における発光エネルギーを蓄積するメインコンデンサの充電完了を検出するための出力端子である。ここで、ＳＣＫは接点群１７を介してストロボマイコン１０８のＳ０端子に接続される。ＳＤＯは接点群１７を介してストロボマイコン１０８のＳ１端子に接続される。ＳＤＩは接点群１７を介してストロボマイコン１０８のＳ２端子に接続される。ＳＣＨＧは接点群１７を介してストロボマイコン１０８のＳ３端子に接続されている。
【００３３】
次に、ストロボ（ストロボ制御部２０３及び発光部２０５Ａ、２０５Ｂを含む）側の回路構成について説明する。
【００３４】
１０１はストロボの電源となる電池である。１０２はストロボ電源回路であり、このストロボ電源回路１０２からの出力電圧は後述する各回路に供給される。電源回路１０２として、例えば、電池１０１の電圧を昇圧し、設定された電圧になるまで主コンデンサ（不図示）に電荷を蓄積する。この出力を後述の第１発光回路１１３、第２発光回路１２０に供給する。１０３はＤＣ／ＤＣコンバータで、電池１０１の電圧が変化しても一定の電圧を出力する定電圧回路として後述するストロボマイコン１０８に供給する。
【００３５】
１０４はスイッチ部であり、スイッチ検出回路１０５及びスイッチ群１０６で構成されている。スイッチ検出回路１０５は、スイッチ群１０６を構成する複数のスイッチのうち各スイッチにおけるオン／オフ状態を検出して、この検出信号をストロボマイコン１０８に出力する。ここで、スイッチ群１０６には、発光部２０５Ａ、２０５Ｂにおけるストロボ発光量の設定を行うための発光量設定スイッチ、ストロボモード設定スイッチ、その他ストロボ発光の制御を行うためのスイッチがある。
【００３６】
１０７はストロボマイコン１０８に接続されたＥＥＰＲＯＭ（電気的にデータを消去・書き換えすることができるＲＯＭ）である。このＥＥＰＲＯＭ１０７にはストロボ発光動作に必要な設定情報が書き込まれる。例えば、ＥＥＰＲＯＭ７に、発光部２０５Ａ、２０５Ｂにおけるストロボ光の照射範囲データを記憶させておくことができる。
【００３７】
１０８はストロボマイコン（本願請求項に記載の照射範囲算出手段、判定手段、補正量算出手段及び警告手段を含む）である。ストロボマイコン１０８はＣＰＵ、ＲＯＭ、ＲＡＭ、入出力制御回路（Ｉ／Ｏ  ＣＯＮＴＲＯＬ）、マルチプレクサ、タイマ回路等を含むマイコン内蔵ワンチップＩＣ回路構成となっている。ストロボマイコン１０８はストロボ及びカメラシステムの制御をソフトウエアで行えるものである。本発明では後に説明する連続発光時の発光制限に使用する積算値テーブルなどを記憶している。なお、ストロボマイコン１０８にＥＥＰＲＯＭ１０７を内蔵させてもよい。
【００３８】
１１３Ａは発光部２０５Ａ内に収納された第１発光回路であり、ストロボマイコン１０８からの命令を受けることによりストロボ電源回路１０２に蓄積しておいた電荷を第１閃光放電管１１４Ａ内に放電させたり、この放電を遮断したりする。１１４Ａは、第１閃光放電管で第１発光回路１１３Ａに接続され、被写体に照射する閃光放電管である。
【００３９】
１１５Ａは、第１閃光放電管１１４Ａの発光量をモニタする第１モニタ回路で、予備発光や本発光における発光量をモニタすることにより発光量の制御を行うことができる。
【００４０】
１１３Ｂは発光部２０５Ｂ内に収納された第２発光回路であり、ストロボマイコン１０８からの命令を受けることによりストロボ電源回路１０２により蓄積しておいた電荷を第２閃光放電管１１４Ｂ内に放電させたり、この放電を遮断したりする。１１４Ｂは、第２閃光放電管で第２発光回路１１３Ｂに接続され、被写体に照射する閃光放電管である。
【００４１】
１１５Ｂは、第２閃光放電管１１４Ｂの光量をモニタする第２モニタ回路で、予備発光や本発光における発光量をモニタすることにより発光量の制御を行うことができる。
【００４２】
１２３は表示部で、液晶ディスプレイ（ＬＣＤ）１２４及び液晶表示回路１２５により構成されている。ＬＣＤ１２４はストロボ撮影に関する情報を表示する。このＬＣＤ１２４は、ストロボ制御部２０３の外装に設けることができる。なお、ストロボ撮影に関する情報を表示する表示素子としては、ＬＣＤだけでなくＴＦＴ等を用いてもよい。液晶表示回路１２５は、ストロボマイコン１０８からの命令に従ってＬＣＤ１２４にストロボ撮影に関する情報を表示させる。
【００４３】
カメラ本体２００側において、まず電池１が接続され、スイッチ群６の１つであるメインスイッチ（不図示）がオンになると電源回路２、ＤＣ／ＤＣコンバータ３が起動する。これにより、電源回路２、ＤＣ／ＤＣコンバータ３で定電圧が発生し、これらの定電圧がカメラマイコン８や各回路に供給される。カメラマイコン８に定電圧が供給されると、カメラマイコン８内のＣＰＵにおいてリセット動作が行われる。具体的には、プログラム内におけるフラグをクリアにしたり、記憶されていた内容をクリアにしたりする。
【００４４】
また、ストロボ側においても、電池１０１が接続され、スイッチ群１０６のひとつであるメインスイッチ（不図示）がオンになるとストロボ電源回路１０２、ＤＣ／ＤＣコンバータ１０３で定電圧が発生する。これらの定電圧がストロボマイコン１０８や各回路に供給される。ストロボマイコン１０８に定電圧が供給されると、ストロボマイコン１０８内のＣＰＵにおいてリセット動作が行われる。具体的には、プログラム内におけるフラグをクリアにしたり、メモリに記憶されていた内容をクリアにしたりする。
【００４５】
ここで本発明の前提となっている、ストロボの発光制限について説明する。ストロボの連続発光時、発熱による発光部の溶解や内部部品の損壊、外郭温度上昇などの問題が発生していた。この問題を防止するため、一定時間以内に発光された場合、発光量に応じた積算値を加算していき、積算値の合計に応じて発光間隔に制限時間を設ける。本発明では図４に示す積算値を使用する。発光量が１／１のときは１２８を加算し、光量が低下するに従い、積算値は小さくなっている。図５Ａに実施例１のストロボマイコン１０８に記憶されている、積算値の合計と発光から次の発光までの制限時間の関係を示す。積算値合計が１２８０未満、すなわち発光量１／１で９回発光するまでは発光から次の発光までの制限時間が１秒であるが発光量１／１で１０回した後、制限時間が２秒となり、その後、発光を繰り返すと積算値に応じて制限時間が増加していく。（図６）  積算値が６１４４以上になるとストロボ装置は図７に示すような温度上昇警告を表示する。一般的に警告表示が出た場合、一定時間の休止が推奨される。そのため、本発明では警告表示が出るまでの発光回数を最大化するための使い方を算出しユーザに知らせる、としている。
【実施例１】
【００４６】
以下、図１を参照して、本発明の第１の実施例による、複数発光部の発光量が異なる場合における、所定の発光制限である温度上昇警告までの発光回数を最大化する使い方を知らせる動作について説明する。
【００４７】
Ｓ１０１では、図３に不図示の電源スイッチがオンされてカメラ２００のカメラマイコン８が動作可能となると、カメラマイコン８は、カメラマイコン８自身のメモリやポートの初期化を行う。また入力部４より入力されたスイッチの状態や予め設定された入力情報を読み込み、シャッタースピードの決め方や、絞りの決め方等様々な撮影モードの設定を行う。
【００４８】
ストロボマイコン１０８は発光量の設定を確認し、各発光部の発光量が同じ設定であるか否かを判断する。ここでストロボマイコン１０８には予め、図５Ａに示す発光量と積算値のテーブルと図５Ｂに示す積算値合計と制限時間のテーブルが記憶されている。各発光部の発光量が異なる場合、Ｓ１０２へ移行する。ここでは例として発光部２０５Ａの発光量が１／１、発光部２０５Ｂの発光量が１／２として説明を行う。
【００４９】
Ｓ１０２では、ストロボマイコン１０８は温度上昇警告までの発光回数を最大化するための発光量入替タイミングを算出する。具体的には、温度上昇警告をするタイミングでの積算値を各発光部の設定発光量に対応する積算値の和で除することで算出できる。
【００５０】
（入替を実施する発光回数）＝（温度上昇警告を表示する積算値合計）／（（発光部２０５Ａの発光量に対応する積算値）＋（発光部２０５Ｂの発光量に対応する積算値））
本実施例では発光部２０５Ａの発光量が１／１、発光部２０５Ｂの発光量が１／２なので積算値は発光部２０５Ａが１２８、発光部２０５Ｂが６４となっている。温度上昇警告を表示する積算値合計が６１４４なので上式に当てはめて演算すると３２回となる。
【００５１】
Ｓ１０３では、ストロボマイコン１０８はＳ１０２で算出した発光量入替タイミングを表示部１２３に表示する。ここで発光量入替タイミングの他、発光量を入れ替えなかった場合の温度上昇警告表示までの発光回数と入れ替えた場合の発光回数を併せて表示する、としてもよい。本実施例ではＳ１０２での演算結果である３２回を「３２回で発光量、レイアウトを交換してください。」などと表示する。「＋１６回」などと発光量、レイアウトを交換しなかった場合と比べた場合の増加量を併せて表示してもよい（図８）。
【００５２】
Ｓ１０４では、ストロボマイコン１０８はカメラ側の発光指示を受け、発光動作を行い、発光量に応じて積算値を加算し、積算値合計に応じた発光制限時間で発光間隔に制限をかける。具体的には発光部２０５Ａ、発光部２０５Ｂの発光量と積算値に応じた制限時間をそれぞれ算出し、算出した結果を比較し、大きい制限時間で発光間隔を制御する。図５Ｂに各発光量、積算値合計における制限時間を示す。ここで本実施例では発光部２０５Ａの発光量は１／１、積算値合計は０なので１秒、発光部２０５Ｂの発光量は１／２、積算値合計は０なので０．５秒、となり１秒と０．５秒を比較し大きい１秒で制限をかける。ストロボマイコン１０８は発光動作が実施されたら発光量に応じた積算値を積算値合計に加算する。
【００５３】
Ｓ１０５では、ストロボマイコン１０８はＳ１０２で算出した発光量入替タイミングか否かを判断する。具体的にはＳ１０２で算出した発光量入替タイミングの積算値合計と現在の積算値合計を比較し、発光量入替タイミングに達したかを判断する。発光量入替タイミングに達したと判断された場合はＳ１０６へ移行する。発光量入替タイミングに達していない場合はＳ１０４へ戻り発光動作を繰り返す。本実施例では発光部２０５Ａ、発光部２０５Ｂの積算値合計を加算した値を発光量入替タイミングの積算値合計である６１４４と比較する。発光部２０５Ａ、発光部２０５Ｂの積算値合計を加算した値６１４４以上であった場合、Ｓ１０６へ移行する。ここで、発光部２０５Ａ、発光部２０５Ｂの積算値合計を加算した値が６１４４のとき、発光部２０５Ａの積算値合計は４０９６、発光部２０５Ｂの積算値合計は２０４８である。制限時間は図５Ｂから発光部２０５Ａが３秒、発光部２０５Ｂが１秒であり、ストロボマイコン１０８は制限時間の長い３秒で発光制限をかけている状態である。
【００５４】
Ｓ１０６では、ストロボマイコン１０８は発光量入替タイミングであることを知らせる、「発光量、レイアウトを入れ替えてください」などの表示を表示１２３に出す。表示例を図９Ａに示す。ここで発光量入替タイミングを知らせるだけでなく、「発光量入替タイミングです。発光量設定を入れ替えますか？」など表示を出してもよい。ユーザに回答を求める表示をしたのち、「Ｙｅｓ」であればストロボマイコン１０８が発光部２０５Ａ、２０５Ｂの発光量設定を入れ替えても良い。（図９Ｂ）この場合、発光量入替後、ストロボマイコン１０８は「レイアウトを入れ替えてください」等の表示を表示１２３に出し、ユーザにレイアウト変更を促す、としても良い。
【００５５】
Ｓ１０７では、ストロボマイコン１０８は発光量の設定が変更されたか否かを判断し、発光量の設定が変更された場合はＳ１０８へ移行する。本実施例では発光量の設定が発光部２０５Ａは１／１から１／２に、発光部２０５Ｂは１／２から１／１に変更されたものとする。
【００５６】
Ｓ１０８では、ストロボマイコン１０８は変更された発光量と積算値合計を元に各発光部に対する制限時間を算出する。本実施例では発光量入替タイミングのとき、前述の通り発光部２０５Ａ、発光部２０５Ｂの積算値合計は発光部２０５Ａが４０９６、発光部２０５Ｂが２０４８であった。そのため、図５Ｂから発光量１／２に変更された発光部２０５Ａは制限時間１．５秒、発光量１／１に変更された発光部２０５Ｂは制限時間２秒となり、制限時間の長い２秒で発光制限がストロボマイコン１０８によりかけられる。このとき、発光量を変更前のＳ１０５では３秒で発光制限をかけていたため、発光量の変更により制限時間が短くなっている。
【００５７】
Ｓ１０９では、ストロボマイコン１０８は温度上昇警告が出るまでカメラマイコン８の指示で発光動作を繰り返し、終了する。本実施例では発光量を入れ替えてから３２回発光した後、温度上昇警告が表示される積算値合計に発光部２０５Ａ，２０５Ｂが同時に到達する。合計６４回所望の光量設定で発光出来たことになる。発光量を入れ替えない場合、発光量１／１の発光部２０５Ａでは４８回で温度上昇警告が表示される積算値合計に達し、かつ発光量１／２の発光部２０５Ｂでは警告表示が表示される積算値合計の半分の時点で温度上昇警告が表示される。本発明により、ストロボマイコン１０８が発光量入替タイミングをユーザに知らせ、途中で発光量を入れ替えることで温度上昇警告までの発光回数が１６回増加した。（割合としては３割増）図１０Ａに各発光量との組み合わせでの発光量の増加量（回数）、図１０Ｂに増加量（比率）を示す。発光量が１段差では３割増、２段差では６割増、最大で約２倍の発光回数になる。
【００５８】
以上説明したように、本発明では複数発光部を備えたストロボにおいて、発光量が異なる設定で連続して発光をする場合、各発光部の発光量の積算値と温度上昇警告を表示する積算値合計とから発光量を入れ替えるタイミングを算出しユーザに知らせる。ユーザはストロボ装置が知らせるタイミングで発光量とレイアウトを変更することで温度上昇警告表示までの発光回数を最大化することが出来る。
【実施例２】
【００５９】
以下、図１１を参照して、本発明の第２の実施例による、複数発光部の発光量が異なる場合における、所定の発光制限である温度上昇警告までの発光回数を最大化する使い方を知らせる動作について説明する。
【００６０】
実施例１との違いは発光量の差が一定値以下の場合、発光制限までの発光回数、入れ替えタイミング算出を実施しないこと、発光回数増加量が所定値以下であれば算出結果を表示しないことである。フローチャート図は図１と比較してＳ１０１１、Ｓ１０２１が追加されたのみで他はすべて一緒のため、変化点のみ説明する。予め、ストロボマイコン１０８にはＳ１０１１の判定に使用する発光量の差の所定値、Ｓ１０２１の判定に使用する発光回数の増加量の所定値が記憶されている。本実施例では例えば発光量の差の所定値を１段、発光回数の増加量の所定値を２０回とする。
【００６１】
Ｓ１０１１ではストロボマイコン１０８は発光部２０５Ａ、２０５Ｂの発光量の差が１段以上あるか否か、判断する。ここで発光部２０５Ａ、２０５Ｂの初期発光量の設定をそれぞれ１／１、１／２とする。（実施例１と同じ）１段以上の発光量差があるため、Ｓ１０２へ移行する。ここで１段以上の差がない場合は終了する。
【００６２】
Ｓ１０２１ではＳ１０２では算出した発光回数の増加量が所定値以上であるかの判定をストロボマイコン１０８が行う。ここで、実施例１と同じため、発光回数の増加量は１６回。発光回数の増加量の所定値を２０回としているため、２０回以下のため、終了とする。ここで、２０回以上であればＳ１０３へ移行し、算出結果の表示を行う。
【００６３】
以上述べたように発光量の差の所定値、発光回数の増加量の所定値を設けることで増加回数が少ないのにレイアウト、発光量の入替実施の指示が表示される、といったことを防止することが出来る。
【００６４】
以上、本発明の好ましい実施形態について説明したが、本発明はこれらの実施形態に限定されず、その要旨の範囲内で種々の変形及び変更が可能である。
【符号の説明】
【００６５】
２０３  ストロボ装置、１０８  ストロボマイコン、２０５Ａ，２０５Ｂ  発光部、
１２３  表示部
【図１】
2020034814.tif 000003
【図２】
2020034814.tif 000004
【図３】
2020034814.tif 000005
【図４】
2020034814.tif 000006
【図５Ａ】
2020034814.tif 000007
【図５Ｂ】
2020034814.tif 000008
【図６】
2020034814.tif 000009
【図７】
2020034814.tif 000010
【図８】
2020034814.tif 000011
【図９Ａ】
2020034814.tif 000012
【図９Ｂ】
2020034814.tif 000013
【図１０Ａ】
2020034814.tif 000014
【図１０Ｂ】
2020034814.tif 000015
【図１１】
2020034814.tif 000016